(57)【要約】【課題】隣々接する線路同士（一つ置きに隣接する線路同士）の電磁結合を少なくして通過帯域の低域側で減衰量が大きくなることを防ぐと共に、スカート特性も急峻にする。【解決手段】誘電体基板と、両端が開放され、互いに電磁結合した状態で誘電体基板上に形成された複数のストリップ線路共振器と、誘電体基板上に形成された外部回路接続用の二つの伝送線路とを備え、ストリップ線路共振器の少なくとも１つ以上をその長さ方向の中央部において屈曲させることで、一つ置きの線路間の電磁結合が少なくし、通過帯域をフラットとし、また、通過帯域よりも低い周波数帯のスカート特性を急峻とする。【選択図】　　　　図１
2004104588.tif 000002
【特許請求の範囲】
【請求項１】
誘電体基板と、両端が開放され、互いに電磁結合した状態で前記誘電体基板上に形成された複数のストリップ線路共振器と、前記誘電体基板上に形成された外部回路接続用の二つの伝送線路とを備え、前記ストリップ線路共振器の少なくとも１つ以上をその長さ方向の中央部において屈曲させたことを特徴とするバンドパスフィルタ。
【請求項２】
少なくとも二つ以上の前記ストリップ線路共振器を屈曲させ、屈曲された前記ストリップ線路の両端を結ぶ線を互いに平行としたことを特徴とする請求項１に記載のバンドパスフィルタ。
【請求項３】
前記屈曲の角度をほぼ９０°としたことを特徴とする請求項１又は２に記載のバンドパスフィルタ。
【発明の詳細な説明】
【０００１】
【発明の属する技術分野】
本発明は誘電体基板上に形成されたストリップ線路共振器によって構成されたバンドパスフィルタに関する。
【０００２】
【従来の技術】
図５は従来のバンドパスフィルタを示す。誘電体基板２１の上面にストリップ線路共振器２２、２３、２４が互いに平行となるように形成される。各ストリップ線路共振器２１〜２３の長さは伝送信号のほぼ半波長となっており、隣接するストリップ線路共振器同士は互いの半分の長さ部分で電磁結合するように配置される。また、誘電体基板２１の下面には接地導体２５が設けられる。そして、外部回路接続用の伝送線路２６、２７が、両側に配置されたストリップ線路共振器２２、２４に対してそれぞれ電磁結合するように設けられて全体としてバンドパスフィルタが構成される（特許文献１参照。）。
【０００３】
【特許文献１】
特開平５−１２１９０３号公報（図２）
【０００４】
【発明が解決しようとする課題】
上記の従来のバンドパスフィルタにおいては、各ストリップ線路共振器と伝送線路とが互いに平行となっているために伝送線路を含めて隣々接する線路同士（一つ置きに隣接する線路同士）も電磁結合して通過帯域特性が悪化し、図６に示すように通過帯域の高域側よりも低域側の減衰Ｒが大きくなると共に、スカート特性も緩慢になるという問題がある。
【０００５】
本発明は、隣々接する線路同士（一つ置きに隣接する線路同士）の電磁結合を少なくして通過帯域の低域側で減衰量が大きくなることを防ぐと共に、スカート特性も急峻にすることを目的とする。
【０００６】
【課題を解決するための手段】
本発明は以上の課題を解決する手段として、誘電体基板と、両端が開放され、互いに電磁結合した状態で前記誘電体基板上に形成された複数のストリップ線路共振器と、前記誘電体基板上に形成された外部回路接続用の二つの伝送線路とを備え、前記ストリップ線路共振器の少なくとも１つ以上をその長さ方向の中央部において屈曲させた。
【０００７】
また、少なくとも二つ以上の前記ストリップ線路共振器を屈曲させ、屈曲された前記ストリップ線路の両端を結ぶ線を互いに平行とした。
【０００８】
また、前記屈曲の角度をほぼ９０°とした。
【０００９】
【発明の実施の形態】
図１乃至図４に従って本発明のバンドパスフィルタを説明する。図１は第一の実施形態の斜視図を示し、図２は第一の実施形態の平面図を示し、図３は伝送特性を示し、図４は第二の実施形態の平面図を示す。
【００１０】
先ず、図１において、誘電体基板１は例えば誘電体損失の少ないセラミック材料等からなり、その上面には複数（図１では三個）のストリップ線路共振器２、３、４が形成される。各ストリップ線路共振器２〜４の長さは伝送信号のほぼ半波長となっており、隣接するストリップ線路共振器同士は互いの半分の長さ部分で電磁結合するように配置される。また、誘電体基板１の下面には接地導体５が設けられる。そして、外部回路接続用の伝送線路６、７が、両側に配置されたストリップ線路共振器２、４に対してそれぞれ電磁結合するように設けられて全体としてバンドパスフィルタが構成される。伝送線路６、７のいずれか一方に信号が入力され、他方から出力される。
【００１１】
図２は誘電体基板１上に形成されたストリップ線路共振器２、３、４及び外部回路接続用の伝送線路６、７の平面形状を示す。両端が開放された各ストリップ線路共振器２〜４の長さはいずれも伝送信号のほぼ半波長に設定され、第一のストリップ線路共振器２と第三のストリップ線路共振器４とはその長さの中央の位置でほぼ９０°となるように屈曲している。そして、第一のストリップ線路共振器２の両端を結ぶ線と第三のストリップ線路共振器４の両端を結ぶ線とが平行となる状態でしかもその屈曲の方向が互いに反対方向に向くように配置される。
【００１２】
第一のストリップ線路共振器２と第三のストリップ線路共振器４との間には直線状の第二のストリップ線路共振器３が配置されるが、その長さの中央の位置から一端までの一方の直線部分３ａが屈曲された第一のストリップ線路共振器２の一方の直線部分２ａと平行に対向し、中央の位置から他端までの他方の直線部分３ｂが屈曲された第三のストリップ線路共振器４の一方の直線部分４ａと平行に対向するように配置される。よって三つのストリップ線路共振器２〜４は全体としてほぼ直線状に配置される。
【００１３】
第一の伝送線路６は“く”の字状に屈曲され、その一方の直線部分６ａが第一のストリップ線路共振器２の他方の直線部分２ｂと平行に対向する。また、第二の伝送線路７も“く”の字状に屈曲され、その一方の直線部分７ａが第三のストリップ線路共振器４の他方の直線部分４ｂと平行に対向する。そして、第一の伝送線路６の他方の直線部分６ｂ又は第二の伝送線路７の他方の直線部分７ｂのいずれか一方に信号が入力され、各ストリップ線路共振器２〜４を通過した信号が他方から出力される。
【００１４】
上記構成においては、信号入出力用の伝送線路６、７を含め、一つ置きの関係となる二つの線路間の電磁結合が弱くなる。例えば、第一の伝送線路６と第二のストリップ線路共振器３との関係では、第一の伝送線路６の一方の直線部分６ａと第二のストリップ線路共振器３とはそれらの直線方向が互いに直角となるので、電磁結合が弱くなる。第二のストリップ線路共振器３と第二の伝送線路７との関係においても同様である。
【００１５】
また、第一のストリップ線路共振器２と第三のストリップ線路共振器４との関係においては、第一のストリップ線路共振器２の一方の直線部分２ａと第三のストリップ線路共振器４の一方の直線部分４ａとは互いに平行となるが、それらの直線方向で対向する部分がないので互いの電磁結合は弱くなる。
【００１６】
この結果、伝送特性においては、図３に示すように通過帯域の低域側での減衰が少なくなり、通過帯域全体がほぼフラットな特性となる。
【００１７】
図４は全てのストリップ線路共振器を屈曲した場合の実施形態を示し、図２における第二のストリップ線路共振器３をその中央部でほぼ９０°に屈曲した構成となる。この場合、第一のストリップ線路共振器２と第三のストリップ線路共振器４との関係においては、第一のストリップ線路共振器２の一方の直線部分２ａと第三のストリップ線路共振器４の一方の直線部分４ａとはそれらの直線方向が互いに直角となるので、電磁結合が弱くなる。よって、図４においても図３に示したような伝送特性となる。
【００１８】
なお、ストリップ線路共振器の屈曲角度は９０°でることが望ましいが、必ずしも９０°に限定する必要はない。
【００１９】
【発明の効果】
以上説明したように、本発明のバンドパスフィルタは、誘電体基板と、両端が開放され、互いに電磁結合した状態で誘電体基板上に形成された複数のストリップ線路共振器と、誘電体基板上に形成された外部回路接続用の二つの伝送線路とを備え、ストリップ線路共振器の少なくとも１つ以上をその長さ方向の中央部において屈曲させたので、一つ置きの線路間の電磁結合が少なくなり、通過帯域がフラットとなり、通過帯域における低域側の減衰が少なくなる。また、通過帯域よりも低い周波数帯のスカート特性も急峻となる。
【００２０】
また、少なくとも二つ以上のストリップ線路共振器を屈曲させ、屈曲されたストリップ線路の両端を結ぶ線を互いに平行としたので、バンドパスフィルタ全体を直線状に構成できる。
【００２１】
また、屈曲の角度をほぼ９０°としたので、一つ置きの線路間の電磁結合が最も少なくなる。
【図面の簡単な説明】
【図１】本発明のバンドパスフィルタの斜視図である。
【図２】本発明のバンドパスフィルタにおける第一の実施の形態の平面図である。
【図３】本発明のバンドパスフィルタの伝送特性図である。
【図４】本発明のバンドパスフィルタにおける第一の実施の形態の平面図である。
【図５】従来のバンドパスフィルタの斜視図である。
【図６】従来のバンドパスフィルタの伝送特性図である。
【符号の説明】
１　誘電体基板
２　第一のストリップ線路共振器
３　第二のストリップ線路共振器
４　第三のストリップ線路共振器
５　接地導体
６　第一の伝送線路
７　第二の伝送線路
【図１】
2004104588.tif 000003
【図２】
2004104588.tif 000004
【図３】
2004104588.tif 000005
【図４】
2004104588.tif 000006
【図５】
2004104588.tif 000007
【図６】
2004104588.tif 000008